(57)【特許請求の範囲】
【請求項１】
モータを備えた本体の下方に、前記モータの回転によりオービタル運動するベースを備え、前記本体とベースとに夫々形成した受け座の間にフットを架設したサンダであって、
前記フットを、金属製のフット本体と、そのフット本体の両端を前記受け座において前記フット本体の軸方向で支持する弾性体とから形成したことを特徴とするサンダ。
【請求項２】
弾性体を、フット本体の端部に形成された小径部に外装されるＯリングとした請求項１に記載のサンダ。
【発明の詳細な説明】
【０００１】
【発明の属する技術分野】
本発明は、モータを備えた本体の下方に、モータの回転によりオービタル運動するベースを備えたサンダに関する。
【０００２】
【従来の技術】
サンダは、モータを備えた本体の下方に、出力軸を突出させ、その出力軸にベースを偏心させて連結することで、モータの駆動に伴う出力軸の回転でベースをオービタル運動（偏心円運動）させ、ベースの底面に張設したサンディングペーパーで被研磨材を研磨可能となっている。又、本体とベースとの間には、ベースの回転規制及びオービタル運動に伴う振動（特に上下のばたつき）を防止するため、複数のフットが架設されている。このフットは、ゴム等の弾性体で一体成形されるものが多いが、例えば実開昭６２−１７４８５７号公報には、硬度の高い柱部の両端に硬度の低い柱部を一体に固着して形成することで、防振効果を向上させたフットの考案が開示されている。
【０００３】
【発明が解決しようとする課題】
上記従来のフットは、硬度の違いはあっても基本的には全て弾性体を用いるものであるから、発熱による物性の悪化が避けられず、防振効果や耐久性が低下する。又、オービタル運動に伴うフット自身のすりこぎ運動により、本体とベースとの受け座で固定端として支持される両端部にせん断力や曲げ、摩耗が生じて寿命の短縮化が促進されてしまう。
【０００４】
そこで、請求項１に記載の発明は、振動防止を有効に実現できるのは勿論、発熱や摩耗による耐久性の低下も効果的に防止できるサンダを提供することを目的としたものである。
【０００５】
【課題を解決するための手段】
上記目的を達成するために、請求項１に記載の発明は、フットを、金属製のフット本体と、そのフット本体の両端を受け座においてフット本体の軸方向で支持する弾性体とから形成したことを特徴とするものである。
請求項２に記載の発明は、請求項１の目的に加えて、所望の弾性体を低コストで得るために、弾性体を、フット本体の端部に形成された小径部に外装されるＯリングとしたものである。
【０００６】
【発明の実施の形態】
以下、本発明の実施の形態を図面に基づいて説明する。
図１は、仕上サンダの断面図で、仕上サンダ１は、本体２と、その下方に備えられるベース１２とからなる。本体２は、縦に二分割される半割ハウジング３，４によって形成されて内部にはモータ５が下向きに収容され、ボールベアリング７に軸支される出力軸６は本体２の下方へ突出している。８はモータ５の冷却用ファン、９は本体２の下方から粉塵を吸い込んで本体２側方の集塵ノズル１０へ送出する集塵ファン、１１はスイッチレバーである。
一方、ベース１２には、ボールベアリング１３を収容するベアリングボックス１４が形成され、モータ５の出力軸６をボールベアリング１３が軸支する偏心スリーブ１５の偏心孔１６に挿通させることで、偏心スリーブ１５を介して出力軸６を偏心位置で軸支している。１７，１８は偏心スリーブ１５を抜け止めするフラットワッシャーと皿ネジで、１９は偏心スリーブ１５の偏心側に突設されたバランサである。又、ベース１２の下面にはパッド２０が、上面両側にはクランプ２１，２１が夫々設けられ、パッド２０の底面にサンディングペーパーを張設可能となっている。
【０００７】
そして、２２，２２は本体２とベース１２との間に架設されたフットで、夫々円柱状でアルミニウム製のフット本体２３と、ゴム製のＯリング２５，２５とからなり、Ｏリング２５を夫々本体２とベース１２とに設けられた凹状の受け座２６，２６内に収容した状態で、フット本体２３の両端部中心に突設された小径部２４，２４に外装させることで、Ｏリング２５に予圧を与えてフット本体２３を軸方向で弾性支持させている。尚、小径部２４は、夫々軸方向でＯリング２５の最外端を超えない長さとなっている。
【０００８】
以上の如く構成された仕上サンダ１は、スイッチレバー１１を押し込んでモータ５を駆動させると、出力軸６が回転するが、ベース１２側のボールベアリング１３は、偏心スリーブ１５を介して出力軸６を偏心位置で軸支しているため、出力軸６の回転に伴い、ベース１２は出力軸６の軸心を中心としたオービタル運動（偏心円運動）を行い、ベース１２底面に張設したサンディングペーパーにより被研磨材を研磨可能となる。
このベース１２のオービタル運動に伴い、フット２２は、本体２側の受け座２６に把持される上端部を支点にして、ベース１２側の受け座２６に把持される下端部がベース１２に追従して円運動するいわゆるすりこぎ運動を行い、ベース１２自体の回転規制に働くと共に、ベース１２の上下方向の振動を防止する作用を奏する。特にフット２２は、アルミニウム製のフット本体２３を採用しているから、剛性が高く、ベース１２の上下のばたつきを有効に防止でき、放熱効果も得られる。又、フット本体２３の両端をＯリング２５，２５によって弾性支持させているから、フット本体２３の両端が共に自由端となり、すりこぎ運動が円滑に行われる。更に、Ｏリング２５自身には圧縮力しか作用せず、せん断力や曲げ力は加わらないため、摩耗は少なくて済む。
【０００９】
このように上記形態によれば、フット２２を、金属製のフット本体２３とゴム製のＯリング２５，２５との組み合わせにより構成したことで、軸方向の振動に有効に対抗させてベース１２の防振効果を向上させることができると共に、ベース１２の円滑なオービタル運動の実現に寄与可能となる。又、発熱による影響と摩耗との低減により、耐久性にも優れたものとなる。
更に、弾性体としてＯリング２５を採用したことで、所望の弾性体を低コストで得ることができる。
【００１０】
尚、受け座におけるフット本体の軸支構造は、上記形態に限定するものでなく、Ｏリングでなく断面四角形状の角リングや複数のボールで把持させたり、小径部をなくして端部全体を皿状のゴムで把持させたり、或いはフット本体の端部と受け座底面との間にゴム製のボールやプレートを介在させたり等、フット本体を軸方向に弾性支持できるものであれば、適宜設計変更可能である。又、フット本体の上下で同じ軸支構造を採用せず、運動量の大きい下端をＯリングで受けて上端を前記ボールやプレートとする等、上下で異なる構造とすることもできる。
更に、フット本体は、アルミニウム以外の他の金属製でも差し支えないが、アルミニウム製とすれば軽量で所定の剛性や放熱効果が確保でき、好ましい。
【００１１】
【発明の効果】
請求項１に記載の発明によれば、フットを、金属製のフット本体と、そのフット本体の両端を受け座においてフット本体の軸方向で支持する弾性体とから形成したことで、軸方向の振動に有効に対抗させてベースの防振効果を向上させることができると共に、ベースの円滑なオービタル運動の実現に寄与可能となる。又、発熱による影響と摩耗との低減により、耐久性にも優れたものとなる。
請求項２に記載の発明によれば、請求項１の効果に加えて、弾性体を、フット本体の端部に形成された小径部に外装されるＯリングとしたことで、所望の弾性体を低コストで得ることができる。
【図面の簡単な説明】
【図１】仕上サンダの断面説明図である。
【符号の説明】
１・・仕上サンダ、２・・本体、５・・モータ、６・・出力軸、１２・・ベース、２２・・フット、２３・・フット本体、２４・・小径部、２５・・Ｏリング、２６・・受け座。
【図１】
0003634995.tif 000002